(57)【特許請求の範囲】
【請求項１】
イメージ補正方法はスキャナーに応用し前記スキャナーは、スキャナー本体、及び前記スキャナー本体内に設置し、しかも電気的に連接する駆動装置、光学モジュール、アナログ／デジタルコンバーター、ＦＩＦＯデータバッファー、データフロー制御ユニット、設置ユニット、データ分類ユニット、メモリストレージユニットを備え、前記イメージ補正方法は以下のステップを備え、
(１)スキャンを待つドキュメントをスキャナーのスキャナープラットフォーム上に移動させ、
(２)スキャナーは各パラメーターを初期化し、
(３)前記駆動装置は前記光学モジュールを駆動、移動し、スキャナーはドキュメントに対するスキャンを開始し、スキャナーはラインであるイメージをスキャンし、イメージは赤色光、青色光、緑色光にそれぞれ対応する複数のイメージピクセルを備え、
(４)前記イメージピクセルは、前記アナログ／デジタルコンバーターを通して、十六進法のデジタル電気信号に変換され、スキャナーは、前記ＦＩＦＯデータバッファーを通して、順番に複数の赤色光ピクセル値、青色光ピクセル値及び緑色光ピクセル値を読み取り、前記データフロー制御ユニットを通して、赤色光、青色光或いは緑色光ピクセル値の総和、複数の赤色光、青色光或いは緑色光ピクセル最小値及び複数の赤色光、青色光或いは緑色光ピクセル最大値を算出し、
(５)前記メモリストレージユニットは、複数のメモリ位置に区分され、ラインであるイメージの赤色光、青色光或いは緑色光ピクセル値の総和、複数の赤色光、青色光或いは緑色光ピクセル最小値及び複数の赤色光、青色光或いは緑色光ピクセル最大値を前記データ分類ユニットで分類し、前記メモリストレージユニット内とそれが対応するメモリ位置にそれぞれ保存し、
(６)スキャンするよう設定されたイメージの品質が十分な状態であるかどうかを確認し、十分であればステップ(７)を実行し、十分でない場合、スキャンするよう設定したイメージの品質が十分な状態になるまで、ステップ(３)、(４)、(５)を繰り返し、
(７)前記メモリストレージユニット内に記録した各ラインであるイメージの赤色光、青色光或いは緑色光ピクセル値の総和、複数の赤色光、青色光或いは緑色光ピクセル最小値及び複数の赤色光、青色光或いは緑色光ピクセル最大値に対して、前記データフロー制御ユニット中において設定したプログラムを執行し、得られた数値はアップデートされたシェーディング表を構成し、
(８)スキャナーは、前記アップデートされたシェーディング表を利用し、各イメージピクセルが対応するデジタル電気信号を補正し、前記各ラインの各イメージピクセルの輝度補正を行い、こうして各ラインのイメージ補正を完成することを特徴とするイメージ補正方法。
【請求項２】
前記イメージ補正方法のステップ(２)において、前記設置ユニットは前記データフロー制御ユニット内のラインであるイメージのすべてのピクセル値の総和ＳＵＭ(ｘ)の初期値を、００００００００ｈと設定し、そのプログラムの式は：ＳＵＭ(ｘ)＝００００００００ｈで、ｘはラインであるイメージの第ｘ個のピクセルを示し、前記設置ユニットは前記データフロー制御ユニット内のラインであるイメージのピクセル最小値Ｌｐ(ｘ)の初期値を、ＦＦＦＦｈと設定し、その計算式はＬｐ(ｘ)＝ＦＦＦＦｈで、ｐ＝０・・ｍ−１で、前記設置ユニットは前記データフロー制御ユニット内のラインであるイメージのピクセル最大値Ｈｑ(ｘ)の初期値を００００ｈと設定し、そのプログラムの式はＨｑ(ｘ)＝００００ｈで、ｑ＝０・・ｎ−１であることを特徴とする請求項１に記載のイメージ補正方法。
【請求項３】
前記イメージ補正方法のステップ(４)は、スキャンしたラインであるイメージの第ｘ個の赤色光、青色光或いは緑色光ピクセル値は、ＷＨ＿ＴＭＰｉ(ｘ)により示すことができ、しかも前記データフロー制御ユニット中において以下の計算式を実行し、
ＳＵＭ(ｘ)＝ＳＵＭ(ｘ)＋ＷＨ＿ＴＭＰｉ(ｘ)
ＷＨ＿ＴＭＰｉ(ｘ)を使用し赤色光、青色光或いは緑色光ピクセル最小値Ｌｐ(ｘ)を絶えずアップデートしラインであるイメージは常にｍ個の赤色光、青色光或いは緑色光ピクセル最小値Ｌｐ(ｘ)を確保し、ＷＨ＿ＴＭＰｉ(ｘ)を使用し赤色光、青色光或いは緑色光ピクセル最大値Hq(x)を絶えずアップグデートしラインであるイメージは常にｎ個の赤色光、青色光或いは緑色光ピクセル最大値Ｈｑ(ｘ)を確保することを特徴とする請求項２に記載のイメージ補正方法。
【請求項４】
前記イメージ補正方法のステップ(６)は、ステップ(３)と(４)を繰り返し、スキャナーがスキャンする第ｋラインであるイメージの第ｘ個の赤色光、青色光或いは緑色光ピクセル値は、ＷＨ＿ＴＭＰｉ(ｘ)により示すことができ、ｉは、０から徐々に増えていく正の整数で、しかもｉ＜２k＋ｍ＋ｎで、ｋは第ｋラインであるイメージをスキャンすることを示し、ｋ、ｍ、ｎは前記設置ユニットにより設置され、しかも前記データフロー制御ユニット中において以下の演算を繰り返し行い、
ＳＵＭ(ｘ)＝ＳＵＭ(ｘ)＋ＷＨ＿ＴＭＰｉ(ｘ)
ＷＨ＿ＴＭＰｉ(ｘ)を使用し、各新ラインであるイメージの赤色光、青色光或いは緑色光ピクセル最小値Ｌｐ(ｘ)を絶えずアップグデートし各ラインであるイメージは、常にｍ個の赤色光、青色光或いは緑色光ピクセル最小値Ｌｐ(ｘ)を確保し、ＷＨ＿ＴＭＰｉ(ｘ)を使用し各新ラインであるイメージの赤色光、青色光或いは緑色光ピクセル最大値Ｈｑ(ｘ)を絶えずアップグデートし各ラインであるイメージはｎ個の赤色光、青色光或いは緑色光ピクセル最大値Ｈｑ(ｘ)を常に確保し、スキャンするよう設定したイメージの品質が十分な状態になるまでステップ(５)を繰り返し行うことを特徴とする請求項３に記載のイメージ補正方法。
【請求項５】
前記イメージ補正方法のステップ(７)は、前記データフロー制御ユニット中において設定した計算式
【数１】
0005496310.tif 000003
を実行することを特徴とする請求項４に記載のイメージ補正方法。
【請求項６】
前記ＦＩＦＯデータバッファー、前記データフロー制御ユニット、前記データ分類ユニットは、特殊なＡＳＩＣ(Ａｐｐｌｉｃａｔｉｏｎ  Ｓｐｅｃｉｆｉｃ  Ｉｎｔｅｇｒａｔｅｄ  Ｃｉｒｃｕｉｔ)に集積できることを特徴とする請求項１に記載のイメージ補正方法。
【発明の詳細な説明】
【技術分野】
【０００１】
本発明はイメージ補正方法に関し、特にスキャナーに応用するイメージ補正方法に関する。
【背景技術】
【０００２】
図１に示すように、従来のイメージ補正方法はスキャナー(図示なし)に応用する。スキャナーは通常スキャナー本体(図示なし)、駆動装置１０’、光学モジュール２０’、アナログ／デジタルコンバーター３０’、メモリストレージユニット４０’を備える。駆動装置１０’、光学モジュール２０’、アナログ／デジタルコンバーター３０’、メモリストレージユニット４０’は電気的に連接し、しかもスキャナー本体内に設置する。光学モジュール２０’はスキャナー本体内で移動することができる。光学モジュール２０’は光源２０１’、レンズ２０２’、イメージ感知部品２０３’を備える。イメージ感知部品２０３’は、ＣＣＤ(Ｃｈａｒｇｅ  Ｃｏｕｐｌｅｄ  Ｄｅｖｉｃｅ)或いはＣＩＳ(Ｃｏｎｔａｃｔ  Ｉｍａｇｅ  Ｓｅｎｓｏｒ)である。スキャナー本体の上方にはスキャナープラットフォーム(図示なし)を設置する。
【０００３】
通常光源２０１’は各位置で輝度が異なるため、スキャナーでスキャンされるイメージには輝度が不均一となる現象が起きてしまう。輝度が不均一なイメージの発生を回避するため、スキャナーがドキュメントをスキャンする時、スキャナーはイメージ補正方法を用いてイメージを補正する。イメージ補正方法のステップは以下の通りである。先ずスキャンを待つドキュメントをスキャナーのスキャナープラットフォーム上に移動させる。次に駆動装置１０’は光学モジュール２０’を駆動して移動させ、ドキュメントに対してスキャンを行う。具体的には光源２０１’は、スキャナープラットフォームを通してドキュメント上に照射される。この時光源２０１’がスキャナープラットフォームを通してドキュメント上に照射され、反射して戻ってくる光線はレンズを通してイメージ感知部品２０３’上に結像しイメージを形成する。イメージは複数のイメージピクセルにより組成される。この後イメージピクセルはアナログ／デジタルコンバーター３０’を経てデジタル電気信号に変換される。続いてデジタル電気信号をメモリストレージユニット４０’内に保存し、補間法或いは乗法演算法を利用して演算を行い、シェーディング表(Ｓｈａｄｉｎｇ  Ｔａｂｌｅ)を構成させる。最後にスキャナーはシェーディング表を利用してスキャンされたイメージの輝度補正を行う。
【０００４】
しかし上記したイメージ補正方法において、シェーディング表を構成させる過程でドキュメント上の想定外の汚れ或いはほこりの影響を受ける。これにより不正確なシェーディング表ができてしまいイメージ補正効果に悪影響を及ぼす。同時にメモリストレージユニット４０’内にシェーディング表を構成させる過程では、メモリストレージユニット４０’に演算を行うための、合理的な対応する区間区分がないため、メモリストレージユニット４０’はより大きな保存空間を必要とするためスキャナーのイメージ補正コストが増大している。本発明は従来のイメージ補正方法の上記した欠点に鑑みてなされたものである。
【発明の概要】
【発明が解決しようとする課題】
【０００５】
本発明が解決しようとする課題は、上記した従来の技術に存在する欠陥を解決することができ、イメージ効果を確実に良好にしメモリストレージユニットの使用を効果的に減らすことができるイメージ補正方法を提供することである。
【課題を解決するための手段】
【０００６】
上記課題を解決するため、本発明は下記のイメージ補正方法を提供する。
イメージ補正方法は、スキャナーに応用し該スキャナーは、スキャナー本体、及び該スキャナー本体内に設置し、しかも電気的に連接する駆動装置、光学モジュール、アナログ／デジタルコンバーター、ＦＩＦＯデータバッファー、データフロー制御ユニット、設置ユニット、データ分類ユニット及びメモリストレージユニットを備え、該イメージ補正方法は以下のステップを備え、
(１)スキャンを待つドキュメントをスキャナーのスキャナープラットフォーム上に移動させ、
(２)スキャナーはパラメーターを初期化し、
(３)該駆動装置は該光学モジュールを駆動、移動し、スキャナーはドキュメントに対するスキャンを開始し、こうしてスキャナーはラインであるイメージをスキャンし、イメージは、赤色光、青色光、緑色光にそれぞれ対応する複数のイメージピクセルを備え、
(４)該イメージピクセルは、該アナログ／デジタルコンバーターを通して、十六進法のデジタル電気信号に転換され、スキャナーは該ＦＩＦＯデータバッファーを通して、順番に複数の赤色光ピクセル値、青色光ピクセル値及び緑色光ピクセル値を読み取り、該データフロー制御ユニットを通して、赤色光、青色光或いは緑色光ピクセル値の総和、複数の赤色光、青色光或いは緑色光ピクセル最小値及び複数の赤色光、青色光或いは緑色光ピクセル最大値を算出し、
(５)該メモリストレージユニットは、複数のメモリ位置に区分され、ラインであるイメージの赤色光、青色光或いは緑色光ピクセル値の総和、複数の赤色光、青色光或いは緑色光ピクセル最小値及び複数の赤色光、青色光或いは緑色光ピクセル最大値を、該データ分類ユニットで分類し、該メモリストレージユニット内とそれが対応するメモリ位置にそれぞれ保存し、
(６)スキャンするよう設定されたイメージの品質が十分な状態であるかどうかを確認し、十分であればステップ(７)を実行し、十分でない場合ステップ(３)、(４)、(５)に戻り、スキャンするよう設定したイメージの品質が十分な状態になるまで繰り返し、
(７)該メモリストレージユニット内に記録した各ラインであるイメージの赤色光、青色光或いは緑色光ピクセル値の総和、複数の赤色光、青色光或いは緑色光ピクセル最小値、及び複数の赤色光、青色光或いは緑色光ピクセル最大値に対して、該データフロー制御ユニット中において設定したプログラムを実行し、得られた数値でアップデートされたシェーディング表を構成し、
(８)スキャナーは該アップデートされたシェーディング表を利用し、各イメージピクセルが対応するデジタル電気信号を補正し、各ラインの各イメージピクセルの輝度補正を行い、各ラインのイメージ補正を完成する。
【発明の効果】
【０００７】
本発明のイメージ補正方法は、アップデートされたシェーディング表を構成する過程を通して、各ラインであるイメージの複数の赤色光、青色光或いは緑色光ピクセル最小値及び各ラインであるイメージの複数の赤色光、青色光或いは緑色光ピクセル最大値をメモリストレージユニット内にそれぞれ保存し、これによりスキャナー上のドキュメント上の汚れ或いはほこりを除去でき、良好なイメージを確保することができる。さらにスキャナーが分析しスキャンして得られたイメージは、各ラインであるイメージの赤色光、青色光或いは緑色光ピクセル値の総和、複数の赤色光、青色光或いは緑色光ピクセル最小値及び複数の赤色光、青色光或いは緑色光ピクセル最大値で、それをメモリストレージユニット内とそれが対応するメモリ位置にそれぞれ保存し、こうしてメモリストレージユニットの使用量を効果的に減らすことができる。
【図面の簡単な説明】
【０００８】
【図１】従来のイメージ補正方法の実施例中で応用するスキャナーの局部原理のブロックチャートである。
【図２】本発明イメージ補正方法のフローチャートである。
【図３】本発明イメージ補正方法の実施例中で応用するスキャナーの局部原理のブロックチャートである。
【図４】本発明のm個の赤色光、青色光或いは緑色光ピクセル最小値Ｌｐ(ｘ)、ｎ個の赤色光、青色光或いは緑色光ピクセル最大値Ｈｑ(ｘ)の具体的な保存状態である。
【発明を実施するための形態】
【０００９】
以下に図面を参照しながら本発明を実施するための最良の形態について詳細に説明する。
【実施例】
【００１０】
図３に示すように、本発明イメージ補正方法はスキャナー(図示なし)に応用する。スキャナーは自動フィード式片/両面スキャナー、紙送り式片/両面スキャナー、或いはプラットフォーム式片面スキャナーである。本実施例では、スキャナーはプラットフォーム式片面スキャナーでスキャナー本体(図示なし)、及びスキャナー本体内に設置し、しかも電気的に連接する駆動装置１０、光学モジュール２０、アナログ／デジタルコンバーター３０、ＦＩＦＯデータバッファー４０、データフロー制御ユニット５０、設置ユニット６０、データ分類ユニット７０、メモリストレージユニット８０を備える。光学モジュール２０はスキャナー本体内で移動することができる。光学モジュール２０は光源２０１、レンズ２０２、イメージ感知部品２０３を備える。スキャナー本体の上方には、スキャナープラットフォーム(図示なし)を設置する。光源２０１は冷陰極管ＣＣＦＬ(Ｃｏｌｄ  Ｃａｔｈｏｄｅ  Ｆｌｕｏｒｅｓｃｅｎｔ  Ｌａｍｐ)或いは発光ダイオード(Ｌｉｇｈｔ  Ｅｍｉｔｔｉｎｇ  Ｄｉｏｄｅ)である。イメージ感知部品２０３は、ＣＣＤ(Ｃｈａｒｇｅ  Ｃｏｕｐｌｅｄ  Ｄｅｖｉｃｅ)或いはＣＩＳ(Ｃｏｎｔａｃｔ  Ｉｍａｇｅ  Ｓｅｎｓｏｒ)である。
【００１１】
図２、３に示すように、本発明イメージ補正方法の具体的ステップは以下の通りである。
【００１２】
Ｓ００１:スキャンを待つドキュメントをスキャナーのスキャナープラットフォーム上に移動させる。
【００１３】
Ｓ００２:スキャナーは各パラメーターを初期化する。
設置ユニット６０は、データフロー制御ユニット５０内のラインであるイメージのすべてのピクセル値の総和ＳＵＭ(ｘ)の初期値を、００００００００ｈと設定する。
そのプログラムの式は：ＳＵＭ(ｘ)＝００００００００ｈである。
ｘはラインであるイメージの第x個のピクセルであることを示す。
設置ユニット６０は、データフロー制御ユニット５０内のラインであるイメージのピクセル最小値Ｌｐ(ｘ)の初期値をＦＦＦＦｈと設定する。
そのプログラムの式はＬｐ(ｘ)＝ＦＦＦＦｈで、ｐ＝０・・m−1である。
設置ユニット６０は、データフロー制御ユニット５０内のラインであるイメージのピクセル最大値Ｈｑ(ｘ)の初期値を００００ｈと設定する。
そのプログラムの式はＨｑ(ｘ)＝００００ｈで、ｑ＝０・・ｎ−１である。
【００１４】
Ｓ００３:駆動装置１０は光学モジュール２０の移動を駆動し、スキャナーはドキュメントに対するスキャンを開始する。
具体的には光源２０１は白色光を発し、それはスキャナープラットフォームを通してドキュメント上に照射される。この時光源２０１はスキャナープラットフォームを通してドキュメント上に照射され、反射して戻ってくる光線はレンズ２０２を通過し、イメージ感知部品２０３上に結像される。こうしてスキャナーはラインであるイメージをスキャンする。白色光は、赤色光、青色光、緑色光が、一定の割合で組み合わされできるものであるためイメージは赤色光、青色光、緑色光にそれぞれ対応する複数のイメージピクセルを備える。
【００１５】
Ｓ００４:イメージピクセルは、アナログ／デジタルコンバーター３０を通して、十六進法のデジタル電気信号に変換される。スキャナーはＦＩＦＯデータバッファー４０を通して、順番に複数の赤色光ピクセル値、青色光ピクセル値及び緑色光ピクセル値を読み取り、データフロー制御ユニット５０を通して赤色光、青色光或いは緑色光ピクセル値の総和ＳＵＭ(ｘ)、ｍ個の赤色光、青色光或いは緑色光ピクセル最小値Ｌｐ(ｘ)、ｎ個の赤色光、青色光或いは緑色光ピクセル最大値Ｈｑ(ｘ)を算出する。ラインであるイメージの第x個の赤色光、青色光或いは緑色光ピクセル値は、ＷＨ＿ＴＭＰｉ(ｘ)により示すことができる。しかもデータフロー制御ユニット５０中では以下の計算式に設定される。
ＳＵＭ(ｘ)＝ＳＵＭ(ｘ)＋ＷＨ＿ＴＭＰｉ(ｘ)
ＷＨ＿ＴＭＰｉ(ｘ)を使用し赤色光、青色光或いは緑色光ピクセル最小値Ｌｐ(ｘ)を絶えずアップデートし、ラインであるイメージは常にｍ個の赤色光、青色光或いは緑色光ピクセル最小値Ｌｐ(ｘ)を確保する。
ＷＨ＿ＴＭＰｉ(ｘ)を使用し赤色光、青色光或いは緑色光ピクセル最大値Ｈｑ(ｘ)を絶えずアップデートし、ラインであるイメージは常にｎ個の赤色光、青色光或いは緑色光ピクセル最大値Ｈｑ(ｘ)を確保する。
【００１６】
Ｓ００５:スキャナーのメモリストレージユニット８０はｑ個の区に区分され、しかも各区はさらに複数のメモリ位置に区分される。スキャナーが分析しスキャンして得られたイメージは、ラインであるイメージの赤色光ピクセル値の総和ＳＵＭ(ｘ)、ｍ個の赤色光ピクセル最小値Ｌｐ(ｘ)、ｎ個の赤色光ピクセル最大値Ｈｑ(ｘ)、青色光ピクセル値の総和ＳＵＭ(ｘ)、ｍ個の青色光ピクセル最小値Ｌｐ(ｘ)、ｎ個の青色光ピクセル最大値Ｈｑ(ｘ)、緑色光ピクセル値の総和ＳＵＭ(ｘ)、ｍ個の緑色光ピクセル最小値Ｌｐ(ｘ)、ｎ個の緑色光ピクセル最大値Ｈｑ(ｘ)で、それをデータ分類ユニット７０で分類し、メモリストレージユニット８０内とそれが対応するメモリ位置にそれぞれ保存する。
【００１７】
メモリストレージユニット８０の具体的な区分方式及びラインであるイメージの赤色光、青色光或いは緑色光ピクセル値の総和ＳＵＭ(ｘ) ( 図４の通り)である。
【００１８】
Ｓ００６:スキャンするよう設定されたイメージの品質が十分な状態であるかどうかを確認する。十分であれば、Ｓ００７を実行する。十分でない場合、ステップＳ００３とＳ００４に戻る。ステップＳ００４中では、スキャナーがスキャンする第ｋラインであるイメージの第ｘ個の赤色光、青色光或いは緑色光ピクセル値は、ＷＨ＿ＴＭＰｉ(ｘ)により示すことができる。ｉは、０から徐々に増えていく正の整数で、しかもｉ＜２k＋ｍ＋ｎである。ｋは、第ｋラインであるイメージをスキャンすることを示す。ｋ、ｍ、ｎは、設置ユニット６０により設置され、しかもデータフロー制御ユニット５０中において、以下の計算式を繰り返す。
ＳＵＭ(ｘ)＝ＳＵＭ(ｘ)＋ＷＨ＿ＴＭＰｉ(ｘ)
ＷＨ＿ＴＭＰｉ(ｘ)を使用し、各新ラインであるイメージの赤色光、青色光或いは緑色光ピクセル最小値Ｌｐ(ｘ)を絶えずアップデートし、各ラインであるイメージは常にｍ個の赤色光、青色光或いは緑色光ピクセル最小値Ｌｐ(ｘ)を常に確保する。
ＷＨ＿ＴＭＰｉ(ｘ)を使用し、各新ラインであるイメージの赤色光、青色光或いは緑色光ピクセル最大値Ｈｑ(ｘ)を絶えずアップデートし、各ラインであるイメージはｎ個の赤色光、青色光或いは緑色光ピクセル最大値Ｈｑ(ｘ)を常に確保する。スキャンするよう設定したイメージの品質が十分な状態になるまでステップＳ００５を繰り返す。
【００１９】
Ｓ００７:メモリストレージユニット８０内に記録する各ラインであるイメージの赤色光、青色光或いは緑色光ピクセル値の総和ＳＵＭ(ｘ)、各ラインであるイメージのｍ個の赤色光、青色光或いは緑色光ピクセル最小値Ｌｐ(ｘ)、各ラインであるイメージのｎ個の赤色光、青色光或いは緑色光ピクセル最大値Ｈｑ(ｘ)に、データフロー制御ユニット５０中において設定した計算式を実行する。
【００２０】
【数１】
0005496310.tif 000002
得られた数値はアップデートされたシェーディング表(Ｓｈａｄｉｎｇ  Ｔａｂｌｅ)を構成する。
【００２１】
Ｓ００８:スキャナーはこのアップデートされたシェーディング表を利用し、各ラインの各イメージピクセルが対応するデジタル電気信号を補正し、各イメージピクセルの輝度補正を行い、こうして各ラインのイメージ補正を完成する。
【００２２】
図２、３に示すように、本発明イメージ補正方法は以上のステップを通して、アップデートされたシェーディング表を構成させ、各ラインであるイメージ補正を逐一行う。同時にアップデートされたシェーディング表を構成させる過程において、各ラインの赤色光、青色光或いは緑色光ピクセル最小値Ｌｐ(ｘ)及び各ラインの赤色光、青色光或いは緑色光ピクセル最大値Ｈｑ(ｘ)を、メモリストレージユニット８０内にそれぞれ保存する。こうしてスキャナー上の汚れ或いはほこりを除去でき、良好なイメージを確保することができる。またスキャナーのメモリストレージユニット８０は、ｑ個の区に区分され、しかも各区はさらに複数のメモリ位置に区分される。スキャナーが分析しスキャンして得られたイメージは、各ラインであるイメージの赤色光、青色光或いは緑色光ピクセル値の総和ＳＵＭ(ｘ)、ｍ個の赤色光、青色光或いは緑色光ピクセル最小値Ｌｐ(ｘ)、ｎ個の赤色光、青色光或いは緑色光ピクセル最大値Ｈｑ(ｘ)を、メモリストレージユニット８０内とそれが対応するメモリ位置にそれぞれ保存する。こうしてメモリストレージユニット８０の使用量を効果的に減らすことができる。
【００２３】
図２、３に示すように、好ましくはＦＩＦＯデータバッファー４０、データフロー制御ユニット５０及びデータ分類ユニット７０は、特殊なＡＳＩＣ(Ａｐｐｌｉｃａｔｉｏｎ  Ｓｐｅｃｉｆｉｃ  Ｉｎｔｅｇｒａｔｅｄ  Ｃｉｒｃｕｉｔ)に集積できる。こうしてスキャナーがアップデートされたシェーディング表を構成させる過程において、スキャナー上のソフトコントロールプロセスを単純化することができる。
【００２４】
本発明イメージ補正方法は、アップデートされたシェーディング表を構成する過程を通して、各ラインであるイメージのｍ個の赤色光、青色光或いは緑色光ピクセル最小値Ｌｐ(ｘ)及び各ラインであるイメージのｎ個の赤色光、青色光或いは緑色光ピクセル最大値Ｈｑ(ｘ)を、メモリストレージユニット８０内にそれぞれ保存する。これによりスキャナー上の汚れ或いはほこりを除去でき、こうして良好なイメージを確保することができる。またスキャナーが分析しスキャンして得られたイメージは、各ラインであるイメージの赤色光、青色光或いは緑色光ピクセル値の総和ＳＵＭ(ｘ)、ｍ個の赤色光、青色光或いは緑色光ピクセル最小値Ｌｐ(ｘ)、ｎ個の赤色光、青色光或いは緑色光ピクセル最大値Ｈｑ(ｘ)で、それをメモリストレージユニット８０内とそれが対応するメモリ位置にそれぞれ保存する。こうしてメモリストレージユニット８０の使用量を効果的に減らすことができる。
【００２５】
上記の本発明名称と内容は、本発明技術内容の説明に用いたのみで、本発明を限定するものではない。本発明の精神に基づく等価応用或いは部品（構造）の転換、置換、数量の増減はすべて本発明の保護範囲に含むものとする。
【符号の説明】
【００２６】
１０    駆動装置
２０    光学モジュール
２０１  光源
２０２  レンズ
２０３  イメージ感知部品
３０    アナログ／デジタルコンバーター
４０    ＦＩＦＯデータバッファー
５０    データフロー制御ユニット
６０    設置ユニット
７０    データ分類ユニット
８０    メモリストレージユニット
【要約】
【課題】イメージ補正方法の提供。
【解決手段】イメージ補正方法はスキャナーに応用し、該方法は以下のステップを含み、スキャンを待つドキュメントをスキャナーのスキャナープラットフォーム上に移動させ、しかもスキャナーは各パラメーターを初期化し、スキャナーはラインであるイメージをスキャンし、イメージはそれぞれ赤色光、青色光、緑色光に対応する複数のイメージピクセルを含み、ラインであるイメージの赤色光或いは青色光或いは緑色光ピクセル値の総和、複数の赤色光或いは青色光或いは緑色光ピクセル最小値及び最大値を、メモリストレージユニット８０内とそれが対応するメモリ位置にそれぞれ保存し、スキャンを設定されたイメージの品質が十分な状態になると、メモリストレージユニット８０内で設定のプログラムを実行し、アップデートされたシェーディング表を得て、各ラインのイメージ補正を完成し、イメージ補正方法はイメージを良好にし、メモリストレージユニット８０の使用量を効果的に減らすことができる。
【選択図】図３【図１】
0005496310.tif 000004
【図２】
0005496310.tif 000005
【図３】
0005496310.tif 000006
【図４】
0005496310.tif 000007